(57)【要約】通信リンクの確立は、第1のデバイスによる変調された第1の電磁EHF信号の送信、および第2のデバイスによる第1の電磁EHF信号の受信を含んでもよい。第2のデバイスは、第1のシールド部と第2のシールド部とが位置合わせされていることを、受信した前記第1の電磁EHF信号が示しているかどうかを判定することができる。両シールド部が位置合わせされていることを、受信した前記第1の電磁EHF信号が示しているときには、変調された第2の電磁EHF信号の送信を可能にしてもよい。第1のシールド部と第2のシールド部とが位置合わせされていないことを、受信した前記第1の電磁EHF信号が示しているときには、変調された第2の信号の送信を不可能にしてもよい。2015511440.tif 000003
2015511440.tif 000002
【特許請求の範囲】
【請求項１】
以下の工程を含む、第1のシールド部を有する第1のデバイスと、第2のシールド部を有する第2のデバイスとの間の通信リンクを管理する方法：
前記第1のデバイスによって送信された第1の電磁EHF信号を、前記第2のデバイスにより受信する工程；
前記第1のデバイスの前記第1のシールド部と前記第2のデバイスの前記第2のシールド部とが位置合わせされていることを、受信した前記第1の電磁EHF信号が示しているかどうかを、前記第2のデバイスにより判定する工程；および
前記第1のシールド部と前記第2のシールド部とが位置合わせされていることを、受信した前記第1の電磁EHF信号が示しているという判定に応答して、前記第2のデバイスによる変調された第2の電磁EHF信号の送信を、前記第2のデバイスにより可能にする工程。
【請求項２】
前記第1のデバイスの前記第1のシールド部と前記第2のデバイスの前記第2のシールド部とが位置合わせされていることを、受信した前記第1の電磁EHF信号が示しているかどうかを判定する工程が、前記第1のシールド部と前記第2のシールド部とが、前記第1のシールド部および前記第2のシールド部が連続したシールドを形成するのに十分なほど位置合わせされているかどうかを判定する工程を含む、請求項1に記載の方法。
【請求項３】
前記第2のデバイスからの変調された前記第2の電磁EHF信号の前記第1のデバイスによる受信に応答して、前記第1のデバイスによって送信された変調された第3の電磁EHF信号を、前記第2のデバイスにより受信する工程をさらに含む、請求項1に記載の方法。
【請求項４】
前記第1の電磁EHF信号の前記第2のデバイスによる受信に応答して、変調されていないかまたは低レベル変調された第2の電磁EHF信号を、前記第2のデバイスにより前記第1のデバイスへ送信する工程をさらに含む、請求項1に記載の方法。
【請求項５】
前記第1のデバイスの第1のシールド部と前記第2のデバイスの第2のシールド部とが位置合わせされていることを、受信した前記第1の電磁EHF信号が示しているかどうかを判定する工程が、受信した前記第1の電磁EHF信号が高レベル変調で変調されているかどうかを、前記第2のデバイスにより判定する工程からなる、請求項1に記載の方法。
【請求項６】
前記第1の電磁EHF信号の前記第2のデバイスによる受信の前に、変調されていないかまたは低レベル変調された第2の電磁EHF信号を、前記第2のデバイスにより前記第1のデバイスへ送信する工程をさらに含む、請求項1に記載の方法。
【請求項７】
変調された前記第2の電磁EHF信号が、前記第1のシールド部と前記第2のシールド部とが位置合わせされているときには規定の放射規制範囲内の電磁放射を有し、かつ、前記第1のシールド部と前記第2のシールド部とが位置合わせされていないときには前記規定の放射規制範囲を超える電磁放射を有する、請求項1に記載の方法。
【請求項８】
変調された前記第2の電磁EHF信号が高レベル変調信号である、請求項1に記載の方法。
【請求項９】
以下の工程をさらに含む、請求項1に記載の方法：
前記第2のデバイスによる変調された第2の電磁EHF信号の送信を可能にする工程の後で、前記第1のデバイスによって送信された前記第1の電磁EHF信号を、前記第2のデバイスにより引き続き受信する工程；
前記第1のシールド部と前記第2のシールド部とが位置合わせされていることを、受信した続いている前記第1の電磁EHF信号が示しているかどうかを、前記第2のデバイスにより判定する工程；および
前記第1のシールド部と前記第2のシールド部とが位置合わせされていないことを、受信した続いている前記第1の電磁EHF信号が示しているという判定に応答して、前記第2のデバイスによる前記変調された第2の電磁EHF信号の送信を、前記第2のデバイスにより不可能にする工程。
【請求項１０】
以下の工程を含む、第1のシールド部を有する第1のデバイスと、第2のシールド部を有する第2のデバイスとの間の通信リンクを管理する方法：
前記第1のデバイスによって送信された第1の電磁EHF信号を、前記第2のデバイスにより受信する工程；
前記第1のデバイスの前記第1のシールド部と前記第2のデバイスの前記第2のシールド部とが位置合わせされていることを、受信した前記第1の電磁EHF信号が示しているかどうかを、前記第2のデバイスにより判定する工程；および
前記第1のシールド部と前記第2のシールド部とが位置合わせされていないことを、受信した前記第1の電磁EHF信号が示しているという判定に応答して、前記第2のデバイスによる変調された第2の電磁EHF信号の送信を、前記第2のデバイスにより不可能にする工程。
【請求項１１】
以下の工程を含む、第1のデバイスと第2のデバイスとの間の通信リンクを管理する方法：
前記第1のデバイスによって送信された第1の電磁EHF信号を、前記第2のデバイスへの近接場結合により受信する工程；
前記第1のデバイスが前記第2のデバイスとの通信について許容できるデバイスであることを、受信した前記第1の電磁EHF信号が示しているかどうかを、前記第2のデバイスにより判定する工程；および
前記第1のデバイスが許容できるデバイスであるという判定に応答して、前記第2のデバイスによる変調された第2の電磁EHF信号の近接場結合による送信を、前記第2のデバイスにより可能にする工程。
【請求項１２】
前記第1のデバイスが許容できるデバイスであるかどうかを判定する工程が、前記第1のデバイスによって送信されたロック解除コードが許容できるロック解除コードであるかどうかを判定する工程を含む、請求項11に記載の方法。
【請求項１３】
前記第1のデバイスによって送信されたロック解除コードが許容できるロック解除コードであるかどうかを判定する工程が、前記ロック解除コードが許容できるデバイスを識別するかどうかを判定する工程を含む、請求項12に記載の方法。
【請求項１４】
前記第1のデバイスが許容できるデバイスであるかどうかを判定する工程が、受信した前記第1の電磁EHF信号が1つまたは複数の規定の基準に基づいて変調されているかどうかを判定する工程を含む、請求項11に記載の方法。
【請求項１５】
受信した前記第1の電磁EHF信号が1つまたは複数の規定の基準に基づいて変調されているかどうかを判定する工程が、受信した前記第1の電磁EHF信号が許容できる認証パターンに従って書式設定されたデータで変調されているかどうかを判定する工程を含む、請求項14に記載の方法。
【請求項１６】
受信した前記第1の電磁EHF信号が1つまたは複数の規定の基準に基づいて変調されているかどうかを判定する工程が、前記第1のシールド部と前記第2のシールド部とが位置合わせされていると判定した後で、受信した前記第1の電磁EHF信号が許容できるロック解除コードを定義するデータで変調されているかどうかを判定する工程を含む、請求項14に記載の方法。
【請求項１７】
受信した前記第1の電磁EHF信号が1つまたは複数の規定の基準に基づいて変調されているかどうかを判定する工程が、受信した前記第1の電磁EHF信号が許容できるデータパターン、許容できるデータレート、許容できるビット誤り率、および許容できるプロトコルのうちの少なくとも一つに基づいて変調されているかどうかを判定する工程をさらに含む、請求項14に記載の方法。
【請求項１８】
受信した前記第1の電磁EHF信号が1つまたは複数の規定の基準に基づいて変調されているかどうかを判定する工程が、受信した前記第1の電磁EHF信号の強度が規定の期間にわたって規定の閾値より大きいかどうかを判定する工程をさらに含む、請求項14に記載の方法。
【請求項１９】
前記第1のデバイスが許容できるデバイスであるかどうかを判定する工程が、前記第1のデバイスの第1のアンテナおよび前記第2のデバイスの第2のアンテナのうちの少なくとも一方のインピーダンスを、前記第2のデバイスにより検出する工程をさらに含む、請求項11に記載の方法。
【請求項２０】
前記第1のデバイスが許容できるデバイスであるかどうかを判定する工程が、前記第2のデバイスから前記第1のデバイスへ送信されて該第1のデバイスから該第2のデバイスへ戻って受信される電磁EHF信号の飛行時間を決定する工程をさらに含む、請求項11に記載の方法。
【請求項２１】
以下の工程を含む、通信リンクを管理する方法：
対応する第2のデバイスによって必要とされる規定のコードで低レベル変調された第1の電磁EHF信号を、第1のデバイスからの近接場結合により送信する工程；
前記第2のデバイスによって送信された第2の電磁EHF信号を、前記第1のデバイスへの近接場結合により受信する工程；
受信した前記第2の電磁EHF信号が高レベル変調で変調されているかどうかを、前記第1のデバイスにより判定する工程；および
受信した前記第2の電磁EHF信号が高レベル変調で変調されているという判定に応答して、高レベル変調された第1の電磁EHF信号を送信する工程。
【請求項２２】
以下の工程をさらに含む、請求項21に記載の方法：
高レベル変調された前記第1の電磁EHF信号を送信する工程の後に、
前記第2の電磁EHF信号がもはや受信されていないと判定する工程；および
前記第2の電磁EHF信号がもはや受信されていないという前記判定に応答して、前記第1の電磁EHF信号のそれ以上の送信を打ち切る工程。
【請求項２３】
前記第2の電磁EHF信号がもはや受信されていないという判定に応答して、低レベル変調された第1の電磁EHF信号を送信する工程をさらに含む、請求項22に記載の方法。
【請求項２４】
以下を備える、第1のシールド部を有する第1のデバイスとの通信リンクにおいて使用するための第2のデバイス：
前記第1のデバイスによって送信される第1の電磁EHF信号を受信するように構成された第1のEHF通信ユニット；
前記第1のEHF通信ユニットのための部分シールドを提供する第2のシールド部；および
前記第1のEHF通信ユニットに連結されており、かつ
前記第1のデバイスの前記第1のシールド部と前記第2のデバイスの前記第2のシールド部とが位置合わせされていることを、受信した前記第1の電磁EHF信号が示しているかどうかを判定し、かつ
前記第1のシールド部と前記第2のシールド部とが位置合わせされていることを、受信した前記第1の電磁EHF信号が示しているという判定に応答して、前記第1のEHF通信ユニットによる変調された第2の電磁EHF信号の送信を可能にする
ように構成された第1の信号コントローラ。
【請求項２５】
前記第1の信号コントローラが、前記第1のシールド部と前記第2のシールド部とが、該第1のシールド部および該第2のシールド部が連続したシールドを形成するのに十分なほど位置合わせされているかどうかを判定するようにさらに構成されている、請求項24に記載の第2のデバイス。
【請求項２６】
前記第1の信号コントローラが、前記第1のデバイスが許容できるデバイスであるかどうかを判定するようにさらに構成されている、請求項24に記載の第2のデバイス。
【請求項２７】
前記第1の信号コントローラが、前記第1のデバイスによって送信されたロック解除コードが許容できるロック解除コードであるかどうかを判定するようにさらに構成されている、請求項26に記載の第2のデバイス。
【請求項２８】
前記第1の信号コントローラが、前記ロック解除コードが許容できるデバイスを識別するかどうかを判定するようにさらに構成されている、請求項27に記載の第2のデバイス。
【請求項２９】
前記第1の信号コントローラが、受信した前記第1の電磁EHF信号が1つまたは複数の規定の基準に基づいて変調されているかどうかを判定するようにさらに構成されている、請求項26に記載の第2のデバイス。
【請求項３０】
前記第1の信号コントローラが、受信した前記第1の電磁EHF信号が許容できる認証パターンに従って書式設定されたデータで変調されているかどうかを判定するようにさらに構成されている、請求項29に記載の第2のデバイス。
【請求項３１】
前記第1の信号コントローラが、受信した前記第1の電磁EHF信号が許容できるデータパターン、許容できるデータレート、許容できるビット誤り率、および許容できるプロトコルのうちの少なくとも一つで変調されているかどうかを判定するようにさらに構成されている、請求項29に記載の第2のデバイス。
【請求項３２】
前記第1の信号コントローラが、受信した前記第1の電磁EHF信号が規定の期間にわたって規定の閾値より大きい強度を有するかどうかを判定するようにさらに構成されている、請求項29に記載の第2のデバイス。
【請求項３３】
前記第1の信号コントローラが、前記第1のデバイスの第1のアンテナおよび前記第2のデバイスの第2のアンテナの少なくとも一方のインピーダンスを決定するようにさらに構成されている、請求項26に記載の第2のデバイス。
【請求項３４】
前記第1の信号コントローラが、前記第2のデバイスから前記第1のデバイスへ送信されて該第1のデバイスから該第2のデバイスへ送り返される電磁EHF信号の飛行時間を決定するようにさらに構成されている、請求項26に記載の第2のデバイス。
【請求項３５】
請求項24に記載の第2のデバイスと第1のデバイスとを備えるシステムであって、前記第1のデバイスが、前記第1の電磁EHF信号を送信するように構成された第2のEHF通信ユニットを備え、該第2のEHF通信ユニットが、前記第2のデバイスからの変調された第2の電磁EHF信号の前記第1のデバイスによる受信に応答して、前記第1の電磁EHF信号を変調された第1の電磁EHF信号として前記第1のデバイスへ送信するように構成されている、前記システム。
【請求項３６】
請求項24に記載の第2のデバイスと第1のデバイスとを備えるシステムであって、前記第1のデバイスが、前記第1の電磁EHF信号を送信するように構成された第2のEHF通信ユニットを備え、前記第1のデバイスが、前記第2の電磁EHF信号を受信するように構成された第3のEHF通信ユニットをさらに備え、かつ前記第2のデバイスが、前記第1の信号コントローラに連結されておりかつ前記第2の電磁EHF信号を送信するように構成された第4のEHF通信ユニットをさらに備える、前記システム。
【請求項３７】
前記第1のデバイスが、前記第1のデバイスと前記第2のデバイスとが位置合わせされているかどうかを、前記第4のEHF通信ユニットによって送信されて前記第3のEHF通信ユニットによって受信される前記第2の電磁EHF信号の1つまたは複数の特性を評価することによって判定するように構成された第2の信号コントローラをさらに備える、請求項36に記載のシステム。
【請求項３８】
請求項24に記載の第2のデバイスと第1のデバイスとを備えるシステムであって、前記第2のデバイスが、前記第1のEHF通信ユニットを一部取り囲む第1のシールド部をさらに備え、前記第1のデバイスが、前記第1の電磁EHF信号を送信するように構成された第2のEHF通信ユニットと、該第2のEHF通信ユニットを一部取り囲む第2のシールド部とを備え、前記第1のデバイスおよび前記第2のデバイスが各々、前記第1のEHF通信ユニットと前記第2のEHF通信ユニットとの位置合わせの結果として前記第1のシールド部と前記第2のシールド部との実質的な位置合わせが得られるように構成されている、前記システム。
【請求項３９】
前記第1の信号コントローラが、前記第1のEHF通信ユニットによる前記第1の電磁EHF信号の受信に応答して、変調されていないかまたは低レベル変調された第2の電磁EHF信号の送信を可能にするようにさらに構成されている、請求項24に記載の第2のデバイス。
【請求項４０】
前記第1の信号コントローラが、前記第1のEHF通信ユニットが前記第1の電磁EHF信号を非変調信号として受信した後で、前記第2のデバイスによって必要とされる規定のコードで変調された第2の電磁EHF信号の送信を可能にするようにさらに構成されている、請求項24に記載の第2のデバイス。
【請求項４１】
前記第1の信号コントローラが、規定のコードで変調された第2の電磁EHF信号の送信を可能にした後で、受信した前記第1の電磁EHF信号が高レベル変調で変調されているかどうかを判定し、前記受信した電磁EHF信号が高レベル変調で変調されているときに、規定のコードで変調された前記第2の電磁EHF信号の送信を不可能にし、かつ高レベル変調もされている前記第2の電磁EHF信号の送信を可能にするようにさらに構成されている、請求項40に記載の第2のデバイス。
【請求項４２】
前記第1の信号コントローラが、
変調された前記第2の電磁EHF信号の送信を可能にした後で、前記第1のデバイスによって送信される前記第1の電磁EHF信号を引き続き受信し、
前記第1のシールド部と前記第2のシールド部とが位置合わせされていることを、受信した続いている前記第1の電磁EHF信号が示しているかどうかを判定し、
前記第1のシールド部と前記第2のシールド部とが位置合わせされていないことを、受信した続いている前記第1の電磁EHF信号が示しているという判定に応答して、変調された前記第2の電磁EHF信号の送信を不可能にする
ようにさらに構成されている、請求項24に記載の第2のデバイス。
【請求項４３】
変調された前記第2の電磁EHF信号が、第1のシールド部と第2のシールド部とが位置合わせされているときには規定の放射規制範囲内の電磁放射を有し、前記第1のシールド部と前記第2のシールド部とが位置合わせされていないときには前記規定の放射規制範囲を超える電磁放射を有する、請求項24に記載の第2のデバイス。
【請求項４４】
以下を備える、第1のデバイスとの通信リンクにおいて使用するための第2のデバイス：
前記第1のデバイスによって送信される第1の電磁EHF信号を近接場結合により受信するように構成された第1のEHF通信ユニット；ならびに
該第1のEHF通信ユニットに連結されており、かつ
前記第1のデバイスが前記第2のデバイスとの通信について許容できるデバイスであることを、受信した前記第1の電磁EHF信号が示しているかどうかを判定し、かつ
前記第1のデバイスが前記第2のデバイスとの通信について許容できるデバイスであるという判定に応答して、前記第1のEHF通信ユニットによる変調された第2の電磁EHF信号の近接場結合による送信を可能にする
ように構成された第1の信号コントローラ。
【請求項４５】
前記第1の信号コントローラが、前記第1のデバイスによって送信されるロック解除コードが許容できるロック解除コードであるかどうかを判定するようにさらに構成されている、請求項44に記載の第2のデバイス。
【請求項４６】
前記第1の信号コントローラが、前記ロック解除コードが許容できるデバイスを識別するかどうかを判定するようにさらに構成されている、請求項45に記載の第2のデバイス。
【請求項４７】
前記第1の信号コントローラが、受信した前記第1の電磁EHF信号が1つまたは複数の規定の基準に基づいて変調されているかどうかを判定するようにさらに構成されている、請求項44に記載の第2のデバイス。
【請求項４８】
前記第1の信号コントローラが、受信した前記第1の電磁EHF信号が許容できる認証パターンに従って書式設定されたデータで変調されているかどうかを判定するようにさらに構成されている、請求項47に記載の第2のデバイス。
【請求項４９】
前記第1の信号コントローラが、受信した前記第1の電磁EHF信号が許容できるデータパターン、許容できるデータレート、許容できるビット誤り率、および許容できるプロトコルのうちの少なくとも一つで変調されているかどうかを判定するようにさらに構成されている、請求項47に記載の第2のデバイス。
【請求項５０】
前記第1の信号コントローラが、受信した前記第1の電磁EHF信号が規定の期間にわたって規定の閾値より大きい強度を有するかどうかを判定するようにさらに構成されている、請求項47に記載の第2のデバイス。
【請求項５１】
前記第1の信号コントローラが、前記第1のデバイスの第1のアンテナおよび前記第2のデバイスの第2のアンテナの少なくとも一方のインピーダンスを決定するようにさらに構成されている、請求項44に記載の第2のデバイス。
【請求項５２】
前記第1の信号コントローラが、前記第2のデバイスから前記第1のデバイスへ送信されて該第1のデバイスから該第2のデバイスへ送り返される電磁EHF信号の飛行時間を決定するようにさらに構成されている、請求項44に記載の第2のデバイス。
【請求項５３】
請求項44に記載の第2のデバイスと第1のデバイスとを備えるシステムであって、前記第1のデバイスが、前記第1の電磁EHF信号を送信するように構成された第2のEHF通信ユニットを備え、該第2のEHF通信ユニットが、前記第2のデバイスからの変調された第2の電磁EHF信号の前記第1のデバイスによる受信に応答して、前記第1の電磁EHF信号を変調された第1の電磁EHF信号として前記第2のデバイスへ送信するように構成されている、前記システム。
【請求項５４】
請求項44に記載の第2のデバイスと第1のデバイスとを備えるシステムであって、前記第1のデバイスが、前記第1の電磁EHF信号を送信するように構成された第2のEHF通信ユニットを備え、前記第1のデバイスが、前記第2の電磁EHF信号を受信するように構成された第3のEHF通信ユニットをさらに備え、かつ前記第2のデバイスが、前記第1の信号コントローラに連結されておりかつ前記第2の電磁EHF信号を送信するように構成された第4のEHF通信ユニットをさらに備える、前記システム。
【請求項５５】
前記第1のデバイスが、前記第1のデバイスと前記第2のデバイスとが位置合わせされているかどうかを、前記第4のEHF通信ユニットによって送信されて前記第3のEHF通信ユニットによって受信される前記第2の電磁EHF信号の1つまたは複数の特性を評価することによって判定するように構成された第2の信号コントローラをさらに備える、請求項54に記載のシステム。
【請求項５６】
請求項44に記載の第2のデバイスと第1のデバイスとを備えるシステムであって、前記第2のデバイスが第1のEHF通信ユニットを一部取り囲む第1のシールド部をさらに備え、前記第1のデバイスが、前記第1の電磁EHF信号を送信するように構成された第2のEHF通信ユニットと、該第2のEHF通信ユニットを一部取り囲む第2のシールド部とを備え、前記第1のデバイスおよび前記第2のデバイスが各々、前記第1のEHF通信ユニットと前記第2のEHF通信ユニットとの位置合わせの結果として前記第1のシールド部と前記第2のシールド部との実質的な位置合わせが得られるように構成されている、前記システム。
【請求項５７】
前記第1の信号コントローラが、前記第1のEHF通信ユニットによる前記第1の電磁EHF信号の受信に応答して、変調されていないかまたは低レベル変調された第2の電磁EHF信号の送信を可能にするようにさらに構成されている、請求項44に記載の第2のデバイス。
【請求項５８】
前記第1の信号コントローラが、前記第1のEHF通信ユニットが前記第1の電磁EHF信号を非変調信号として受信した後で、前記第2のデバイスによって必要とされる規定のコードで変調された第2の電磁EHF信号の送信を可能にするようにさらに構成されている、請求項44に記載の第2のデバイス。
【請求項５９】
前記第1の信号コントローラが、規定のコードで変調された前記第2の電磁EHF信号の送信を可能にした後で、受信した前記第1の電磁EHF信号が高レベル変調で変調されているかどうかを判定し、受信した前記第1の電磁EHF信号が高レベル変調で変調されているときに、規定のコードで変調された前記第2の電磁EHF信号の送信を不可能にし、かつまた高レベル変調された第2の電磁EHF信号の送信を可能にするようにさらに構成されている、請求項58に記載の第2のデバイス。
【請求項６０】
以下を備える、第1のデバイスと第2のデバイスとの間の通信リンクを確立するための前記第1および第2のデバイスを有するシステムにおいて使用するための第1のデバイス：
対応する第2のデバイスによって必要とされる規定のコードで低レベル変調された第1の電磁EHF信号を前記第2のデバイスへ送信するように構成された第1のEHF通信ユニット；
前記第2のデバイスによって送信される第2の電磁EHF信号を受信するように構成された第2のEHF通信ユニット；および
受信した前記第2の電磁EHF信号が高レベル変調で変調されているかどうかを判定し、受信した前記第2の電磁EHF信号が高レベル変調で変調されているときに、前記第1の通信ユニットによる低レベル変調された前記第1の電磁EHF信号の送信を不可能にし、かつ高レベル変調された第1の電磁EHF信号の送信を可能にするように構成された信号コントローラ。
【請求項６１】
前記信号コントローラが、高レベル変調された前記第1の電磁EHF信号の送信を可能にした後で、前記第2の電磁EHF信号がもはや受信されていないと判定し、かつ高レベル変調された前記第1の電磁EHF信号のそれ以上の送信を不可能にするようにさらに構成されている、請求項60に記載の第1のデバイス。
【請求項６２】
前記信号コントローラが、高レベル変調された前記第1の電磁EHF信号の送信を不可能にした後で、低レベル変調された第1の電磁EHF信号の送信を可能にするようにさらに構成されている、請求項61に記載の第1のデバイス。
【発明の詳細な説明】
【技術分野】
【０００１】
発明の分野
本開示は電子デバイスのコネクタに関し、より具体的には、電子デバイスを接続するコネクタにおける電磁放射を制御するためのシステムおよび方法に関する。
【背景技術】
【０００２】
背景
半導体製造技術および回路設計技術の進歩により、ますます高い動作周波数を有する集積回路（IC）の開発および生産が可能になった。そしてまた、そうした集積回路を組み入れた電子製品およびシステムは、前世代の製品と比べてずっと優れた機能性を提供することができる。このさらなる機能性は、一般には、ますます大量のデータをますます高速で処理することを含むものであった。
【０００３】
多くの電子システムは、これらの高速ICが実装された、ICとの間で様々な信号を経路制御するための複数のプリント回路基板（PCB）を含む。少なくとも2枚のPCBを備え、それらのPCB間での情報をやりとりする必要のある電子システムでは、基板間の情報の流れを円滑化するために様々なコネクタおよびバックプレーンアーキテクチャが開発されてきた。そうしたコネクタおよびバックプレーンアーキテクチャは、他の回路およびデバイスに干渉するおそれのある不要な電磁信号放射を導入する。無線通信リンクが使用される場合には、2つの回路またはデバイスの間の相互接続中はもとより、接続前にも過剰な電磁放射が生じうる。
【発明の概要】
【０００４】
簡単な概要
第1のシールド部を有していてもよい第1のデバイスと、第2のシールド部を有していてもよい第2のデバイスとの間の通信リンクを管理する方法の一態様は、第1のデバイスによって送信された第1の電磁EHF信号を第2のデバイスが受信する工程を含んでもよい。第2のデバイスは、第1のデバイスの第1のシールド部と第2のデバイスの第2のシールド部とが位置合わせされていることを、受信した第1の電磁EHF信号が示しているかどうかを判定することができる。第1のシールド部と第2のシールド部とが位置合わせされていることを、受信した第1の電磁EHF信号が示しているという判定に応答して、第2のデバイスは、第2のデバイスによる変調された第2の電磁EHF信号の送信を可能にしてもよい。
【０００５】
第1のシールド部を有していてもよい第1のデバイスと、第2のシールド部を有していてもよい第2のデバイスとの間の通信リンクを管理する方法の一態様は、第1のデバイスによって送信された第1の電磁EHF信号を第2のデバイスが受信する工程を含んでもよい。第2のデバイスは、第1のデバイスの第1のシールド部と第2のデバイスの第2のシールド部とが位置合わせされていることを、受信した第1の電磁EHF信号が示しているかどうかを判定することができる。第1のシールド部と第2のシールド部とが位置合わせされていないことを、受信した第1の電磁EHF信号が示しているという判定に応答して、第2のデバイスは、第2のデバイスによる変調された第2の電磁EHF信号の送信を不可能にしてもよい。
【０００６】
第1のデバイスと第2のデバイスとの間の通信リンクを管理する方法の一態様は、第2のデバイスへの近接場結合により、第1のデバイスによって送信された第1の電磁EHF信号を受信する工程を含んでもよい。第2のデバイスは、第1のデバイスが第2のデバイスとの通信について許容できるデバイスであることを、受信した第1の電磁EHF信号が示しているかどうかを判定することができる。第1のデバイスが許容できるデバイスであるという判定に応答して、第2のデバイスは、第2のデバイスによる変調された第2の電磁EHF信号の近接場結合による送信を可能にしてもよい。
【０００７】
通信リンクを管理する方法の一態様は、第1のデバイスからの近接場結合により、対応する第2のデバイスによって必要とされる規定のコードで低レベル変調された第1の電磁EHF信号を送信する工程を含んでもよい。第1のデバイスは、第1のデバイスへの近接場結合により、第2のデバイスによって送信された第2の電磁EHF信号を受信することができる。第1のデバイスは、受信した第2の電磁EHF信号が高レベル変調で変調されているかどうかを判定することができる。受信した第2の電磁EHF信号が高レベル変調で変調されているという判定に応答して、第1のデバイスは、高レベル変調の第1の電磁EHF信号の送信を可能にしてもよい。
【０００８】
第1のシールド部を有する第1のデバイスとの通信リンクにおいて使用するための第2のデバイスの一態様は、第1のデバイスによって送信される第1の電磁EHF信号を受信するように構成された第1のEHF通信ユニットを含んでもよい。第2のシールド部は、EHF通信ユニットのための部分シールドを提供することができる。第1のEHF通信ユニットに第1の信号コントローラが連結されていてもよく、当該コントローラは、第1のデバイスの第1のシールド部と第2のデバイスの第2のシールド部とが位置合わせされていることを、受信した第1の電磁EHF信号が示しているかどうかを判定するように構成されていてもよい。第1のシールド部と第2のシールド部とが位置合わせされていることを、受信した第1の電磁EHF信号が示しているという判定に応答して、第1の信号コントローラは、EHF通信ユニットによる変調された第2の電磁EHF信号の送信を可能にしてもよい。
【０００９】
第1のデバイスとの通信リンクにおいて使用するための第2のデバイスの一態様は、第1のデバイスによって送信される第1の電磁EHF信号を近接場結合により受信するように構成された第1のEHF通信ユニットを含んでもよい。EHF通信ユニットに第1の信号コントローラが連結されていてもよく、当該コントローラは、第1のデバイスが第2のデバイスとの通信について許容できるデバイスであることを、受信した第1の電磁EHF信号が示しているかどうかを判定するように構成されていてもよい。第1のデバイスが第2のデバイスとの通信について許容できるデバイスであるという判定に応答して、EHF通信ユニットによる変調された第2の電磁EHF信号の近接場結合による送信が可能になる。
【００１０】
いくつかの例では、通信リンクを確立する方法は、対応する第2のデバイスによって必要とされる規定のコードで低レベル変調された第1の電磁EHF信号を第1のデバイスが送信する工程と、第2のデバイスによって送信された第2の電磁EHF信号を第1のデバイスが受信する工程とを含んでもよい。第1のデバイスは、受信した第2の電磁EHF信号が高レベル変調で変調されているかどうかを判定することができる。受信した電磁EHF信号が高レベル変調で変調されている場合、低レベル変調された第1の電磁EHF信号の送信は打ち切られてもよい。その場合、第1の電磁EHF信号は高レベル変調で送信されてもよい。
【００１１】
いくつかの例では、第1のデバイスと第2のデバイスとの間の通信リンクを確立するための、第1および第2のデバイスを有するシステムにおいて使用するための第1のデバイスは、対応する第2のデバイスによって必要とされる規定のコードで低レベル変調された第1の電磁EHF信号を第2のデバイスへと送信するように構成された第1のEHF通信ユニットを含んでもよい。第2のEHF通信ユニットは、第2のデバイスによって送信される第2の電磁EHF信号を受信するように構成されていてもよい。信号コントローラは、受信した第2の電磁EHF信号が高レベル変調で変調されているかどうかを判定するように構成されていてもよい。受信した第2の電磁EHF信号が高レベル変調で変調されている場合、第1のEHF通信ユニットによる低レベル変調された第1の電磁EHF信号の送信を不可能にすることができ、高レベル変調の第1の電磁EHF信号の送信を可能にすることができる。
【図面の簡単な説明】
【００１２】
ここまで、デバイス間の通信を概括的に説明したので、次に、添付の図面を参照する。図面は必ずしも縮尺通りに描かれているとは限らない。
【００１３】
【図１】通信システムの様々な態様を示す図である。
【図２】図1のシステムで使用できるEHF通信ユニットの第1の例の側面図である。
【図３】EHF通信ユニットの第2の例の等角図である。
【図４】図4A〜図4Bは、非変調信号および変調信号と関連付けられた代表的な放射スペクトルを示す2つのグラフである。
【図５Ａ】電磁放射を低減させるように構成された第1のデバイスおよび第2のデバイスを示す概略図である。
【図５Ｂ】電磁放射を低減させるように構成された第1のデバイスおよび第2のデバイスを示す概略図である。
【図６】信号コントローラで使用されうる例示的なマルチプレクサ回路の概略図である。
【図７】電磁放射の発生を低減させながら第1のデバイスと第2のデバイスとの間で通信する方法の一例を示す流れ図である。
【図８】電磁放射の発生を低減させながら第1のデバイスと第2のデバイスとの間で通信する方法の別の例を示す流れ図である。
【発明を実施するための形態】
【００１４】
詳細な説明
次に、代表的な例が示されている添付の図面を参照して、以下で例示的態様をさらに詳細に説明する。実際には、開示の通信システムおよび方法は多くの異なる形態で具体化することができ、本明細書に記載する態様だけに限定されるものと解釈すべきではない。類似の番号は全体を通じて類似の要素を指す。
【００１５】
今日の社会およびユビキタスなコンピューティング環境においては、高帯域幅のモジュール式携帯用電子デバイスがますます使用されるようになっている。これらのデバイス間およびデバイス内の通信のセキュリティおよび安定性はデバイスの動作にとって重要である。改善されたセキュアな高帯域幅通信を提供するために、電子デバイス間および各デバイス内の部分回路間の無線通信の固有の機能が、革新的で有益な構成において利用されうる。
【００１６】
そうした通信は無線周波数通信ユニット間で行うことができ、ごく近距離での通信は、EHF通信ユニットにおいてEHF周波数（典型的には30〜300GHz）を用いて実現することができる。EHF通信ユニットの一例がEHFコムリンクチップである。本開示全体を通して、コムリンクチップ、およびコムリンクチップ・パッケージという用語を、ICパッケージに埋め込まれたEHFアンテナを指すのに使用する。そうしたコムリンクチップの例は、米国特許出願公開第 2012/0263244号および第2012/0307932号に詳細に記載されており、両出願はその全体があらゆる目的で本明細書に組み入れられる。コムリンクチップは通信デバイスの一例であり、それらが無線通信を提供するか否か、およびそれらがEHF周波数帯域で動作するか否かを問わず、通信ユニットとも呼ばれる。
【００１７】
図1に通信システム100を示す。図示のように、システム100は、第2のデバイス104と対になるように構成された第1のデバイス102を含んでもよい。第1のデバイス102は、第2のデバイス104と通信し、かつ/または第2のデバイス104に接続するように構成されていてもよく、逆もまた同様である。さらに、第1のデバイス102および第2のデバイス104は、相互に接続し、通信することの可能な電子デバイスであってもよい。第1のデバイス102は、電磁シールド部106、EHF通信ユニット108、信号コントローラ110、およびEHF通信ユニット112を含んでもよい。同様に、第2のデバイス104も、電磁シールド部114、EHF通信ユニット116、信号コントローラ118、およびEHF通信ユニット120を含んでもよい。
【００１８】
この例では、信号コントローラ118は、第2のデバイス104のEHF通信ユニット116およびEHF通信ユニット120と通信するように構成されていてもよい。同様に、信号コントローラ110も、第1のデバイス102のEHF通信ユニット108およびEHF通信ユニット112と通信するように構成されていてもよい。
【００１９】
いくつかの態様では、EHF通信ユニット108、EHF通信ユニット116、EHF通信ユニット112、およびEHF通信ユニット120は各々、EHF受信機およびEHF受信機であってもよく、またはEHF受信機およびEHF受信機を含んでもよい。そうした例では、第1のデバイスまたは第2のデバイスは、ただ一つのEHF通信ユニットだけを含んでもよい。さらに、単一のEHF通信ユニットまたは2つのEHF通信ユニットの組み合わせが、単一の集積回路として形成されていてもよく、かつ単一の通信ユニットとして表されてもよく、または複数の別個の通信ユニットとして表されてもよい。よって、2つのEHF通信ユニット108、112は、単一の通信回路122として形成されてもよい。同様に、EHF通信ユニット116、120も、単一の通信回路124として形成されてもよい。図示されていないが、第1のデバイス102および第2のデバイス104は各々、任意の数のEHF通信ユニットを含んでもよいことを当業者は理解するであろう。
【００２０】
EHF通信ユニット108は、非変調の第1の電磁EHF信号を送信するように構成されていてもよい。前述のように、EHF通信ユニット108は、受信機、送信機、または送受信機であってもよい。EHF通信ユニット108は、EHF近接場結合を用いて、第2のデバイス104へ/第2のデバイス104から、具体的には、EHF通信ユニット116および/またはEHF通信ユニット120から、1つまたは複数の電磁信号を送信または受信することができる。シールド部106は、電磁シールドを提供するために、EHF通信ユニット108の少なくとも一部分を取り囲んでいてもよい。同様に、シールド部114も、EHF通信ユニット116の少なくとも一部分を取り囲んでいてもよい。EHF通信ユニット108およびEHF通信ユニット112は、信号コントローラ110と通信するように構成されていてもよい。さらに、EHF通信ユニット112も、受信機、送信機、または送受信機であってもよい。EHF通信ユニット112は、規定の距離範囲内に、例えば近接場内に存在する他のデバイスから/他のデバイスへ少なくとも一つの電磁EHF信号を受信または送信するように構成されていてもよい。例えば、EHF通信ユニット112は、第2のデバイス104から/第2のデバイス104へ1つまたは複数の信号を受信または送信することができる。
【００２１】
一例では、EHF通信ユニット108は、EHF通信ユニット116へ、変調されているにせよ変調されていないにせよ、電磁EHF信号を送信するように構成された送信機であってもよく、EHF通信ユニット116は、EHF通信ユニット108によって送信される電磁EHF信号を受信するための受信機として構成されている。これに対応して、EHF通信ユニット120は、EHF通信ユニット112へ変調された、または非変調の電磁EHF信号を送信するように構成された送信機であってもよく、EHF通信ユニット112は、EHF通信ユニット120によって送信される電磁EHF信号を受信するための受信機として構成されている。
【００２２】
第1のデバイスおよび第2のデバイスは、ピアとして構成されていてもよく、対応する機能性を有していてもよく、または異なる機能性を有するホストおよびクライアントとして構成されていてもよい。一例では、信号コントローラ110は、第1のデバイス102と第2のデバイス104との間の通信を許可するために1つまたは複数の検査を実行することができる。さらに、信号コントローラ110は、第2のデバイス104に接続されるときに第1のデバイス102が許容できるデバイスであるかどうかを判定することができる。信号コントローラ110は、第2のデバイス104、例えば、EHF通信ユニット116および/またはEHF通信ユニット120から受信した1つまたは複数の信号を分析することができる。第2のデバイス104の信号コントローラは、第1のデバイス102から、より具体的にはEHF通信ユニット108から受信した電磁信号を分析および/または処理することができる。
【００２３】
シールド部106およびシールド部114は、実質上、相互に接続するように構成されていてもよく、よって、第1のデバイス102と第2のデバイス104とが正しく位置合わせされ、好ましくは、相互に近接して、または相互に接するように位置決めされるときに、2つの分離したシールド部ではなく連続したシールド部として機能する。加えて、信号コントローラ118は、さらに、第1のシールド部106と第2のシールド部114とが相互に対して位置合わせされ、好ましくは、相互に近接して、または相互に接するように位置決めされるときに、シールド部106が、連続したシールドを形成するのに十分なほど、シールド部114と実質的に電気的に接触した状態にあるかどうかを判定するように構成されていてもよい。図1では、シールド部106は、シールド部114から間隔を置いて、シールド部114と部分的に位置合わせされて配置されているものとして示されている。
【００２４】
第1の信号コントローラ118は、シールド部106とシールド部114とが位置合わせされていることを、第2のEHF通信ユニットによって受信される電磁EHF信号が示しているかどうかを判定するように構成されていてもよい。さらに、信号コントローラ118は、1つまたは複数の変調信号を生成するように構成されていてもよい。一態様では、信号コントローラ118は、受信した電磁EHF信号が、シールド部106とシールド部114とが位置合わせされていることを示すときには、変調電磁EHF信号を生成することができる。別の態様では、信号コントローラ118は、シールド部106とシールド部114とが位置合わせされていないことを、受信した電磁EHF信号が示しているときには、変調された第2の電磁EHF信号の送信を不可能にすることができる。
【００２５】
送受信機として構成された場合の第2のEHF通信ユニット116、または第4のEHF通信ユニット120は、さらに、第2の電磁EHF信号が変調されるときに第1のデバイス102へロック解除コードを送信するように構成されていてもよい。ロック解除コードはデバイス識別子を含んでもよい。一態様では、通信ユニット112は、EHF通信ユニット116からロック解除コードを受信することができる。信号コントローラ118は、ロック解除コードに基づいて第2のデバイス104を認可することができる。いくつかの態様では、EHF通信ユニット108は第2のデバイス104へロック解除コードを送信してもよく、EHF通信ユニット116またはEHF通信ユニット120のどちらかがそのロック解除コードを受信することができる。第1の信号コントローラ118は、受信したロック解除コードに基づいて第1のデバイス104を認可することができる。
【００２６】
デバイスのうちの一つの信号コントローラは、1つまたは複数の規定の基準を満たすことを条件として出力を変調し、または電磁EHF信号を送信するように構成されていてもよい。例えば、1つまたは複数の規定の基準は、第1のデバイス102の第1のデータパターン、第1のデータレート、第1のビット誤り率、および第1のプロトコルのうちの少なくとも一つを、第2のデバイス104の対応する第2のデータパターン、第2のデータレート、第2のビット誤り率、および第2のプロトコルと一致させることを含んでもよい。1つまたは複数の規定の基準は、生成された電気EHF信号の強度が規定の期間にわたって規定の閾値より大きいかどうかを判定することを含んでもよい。一態様では、第1の信号コントローラ118は、受信した電磁EHF信号の強度が規定の持続時間にわたって規定の閾値より大きいかどうかを判定することができる。
【００２７】
いくつかの例では、1つまたは複数の規定の基準または2つのデバイスが位置合わせされているかどうかの判定は、第1のデバイス102の第1のアンテナおよび/または第2のデバイス104の第2のアンテナのうちの少なくとも一つのインピーダンスを検出することを含んでもよい。いくつかの態様では、第1の信号コントローラ118は、第1のアンテナ（図2に示すアンテナ206や、図3に示すアンテナ306など）および第2のアンテナのうちの少なくとも一つのインピーダンスを検出することができる。いくつかの例では、1つまたは複数の規定の基準は、往復EHF信号の、すなわち、一方のデバイスから他方のデバイスへ送信され、当該一方のデバイスへ送り返される電磁EHF信号の飛行時間を決定し、分析することを含んでもよい。信号コントローラ118は、シールド部106とシールド部114とが位置合わせされていることを、生成された電気EHF信号が示しているかどうかを判定するように構成されていてもよい。さらに、EHF通信ユニット108は、第1のデバイス102と第2のデバイス104とが位置合わせされているときに、第2のデバイス104へ変調された信号を送信するように構成されていてもよい。
【００２８】
いくつかの態様では、一方のデバイスの信号コントローラは、他方のデバイスが通信について許容できるかまたは適合したデバイスであるかどうかを判定することができる。例えば、一方のデバイスの信号コントローラ、例えば信号コントローラ110は、他方のデバイスによって送信された、例えば、EHF通信ユニット116によって送信されたロック解除コードが許容できるロック解除コードであるかどうかを判定してもよい。信号コントローラは、他方のデバイスから受信した電磁EHF信号が許容できる認証パターンに従って書式設定されたデータで変調されているかどうかを判定するように構成されていてもよい。
【００２９】
いくつかの態様では、ユーザは、シールド部106とシールド部114とが位置合わせされていないことを、生成された電気EHF信号が示しているときに、第1のデバイス102および第2のデバイス104の少なくとも一方の相互に対する位置を移動させることができる（図5A参照）。さらに、第1のデバイス102および第2のデバイス104は、受信した電磁EHF信号が、シールド部106とシールド部114とが位置合わせされていることを示すまで移動させることができる（図5B参照）。シールド部106とシールド部114とは、相互に対して位置合わせされ、各シールド部が相互に十分に近いときに連続したシールドを形成することができる。
【００３０】
EHF通信ユニット108は、第2のデバイス104からの変調された第2の電磁EHF信号の第1のデバイス102による受信に応答して、第2のデバイス104へ変調された第1の電磁EHF信号を送信してもよい。第1のデバイス102および第2のデバイス104は、EHF通信ユニット108とEHF通信ユニット116との位置合わせの結果としてシールド部106とシールド部114との実質的な位置合わせが得られるように構成されていてもよい。
【００３１】
EHF通信ユニット120は信号コントローラ118に連結されていてもよく、第1のデバイス102へ第2の電磁EHF信号を送信するように構成されていてもよい。EHF通信ユニット112は、第2のデバイス104から第2の電磁EHF信号を受信するように構成されていてもよい。信号コントローラ110は、第1のデバイス102と第2のデバイス104とが位置合わせされているかどうかを、EHF通信ユニット120によって送信され、EHF通信ユニット112によって受信された第2の電磁EHF信号の1つまたは複数の特性を評価することによって判定するように構成されていてもよい。
【００３２】
第1のEHF通信ユニット108、112、116、および120は各々、絶縁材、集積回路（IC）を有するチップ、およびICと通信するように構成され、図2および図3に示し説明するように、絶縁材によって固定位置に保持されるアンテナを含んでもよい。いくつかの態様では、第1のデバイスおよび第2のデバイスは、第1のEHF通信ユニットと第2のEHF通信ユニットとが位置合わせされるときに連動または係合する接触面を有していてもよい。また各デバイスは、デバイスを相互に引き合うための1つまたは複数のそれぞれの磁石および/またはデバイス間の正しい位置決めを示すためのLEDを含んでもよい。
【００３３】
図2は、いくつかの構造部品の簡略化した図を示す例示的なEHF通信回路200の側面図である。通信回路200は1つまたは複数のEHF通信ユニットを含んでいてもよく、また、通信システム100のデバイス102およびデバイス104について説明したように信号コントローラを含んでいてもよい。図示のように、通信回路は、コネクタプリント回路基板（PCB）203上に実装されたダイ202と、リードフレーム（不図示）と、1つまたは複数の導電性コネクタ（例えばボンドワイヤ204）と、変換器（例えばアンテナ206）と、封止材208とを含む、集積回路パッケージ201を含んでいてもよい。
【００３４】
ダイ202は、適切なダイ基板上の小型化回路として構成された任意の適切な構造を含んでもよく、「チップ」または「集積回路（IC）」とも呼ばれる部品と機能的に等価である。ダイ基板は、それだけに限らないが、シリコン等の任意の適切な半導体材料を用いて形成されていてもよい。ダイ202は、リードフレームと電気的に連通した状態で実装されていてもよい。（図3のリードフレーム318と同様の）リードフレームは、1つまたは複数の他の回路がダイ202と動作可能に接続することができるように構成された導電性リードの任意の適切な配置であってもよい。リードフレームのリードは、リードフレーム基板に埋め込まれていても固定されていてもよい。リードフレーム基板は、リードを所定の配置に実質的に保持するように構成された任意の適切な絶縁材を用いて形成されていてもよい。
【００３５】
さらに、ダイ202とリードフレームのリードとの間の電気的連通は、1つまたは複数のボンドワイヤ204等の導電性コネクタを用いた任意の適切な方法によって実現されてもよい。ボンドワイヤ204は、ダイ202の回路上の点をリードフレーム上の対応するリードと電気的に接続するのに使用されてもよい。別の態様では、ダイ202を反転させることができ、導電性コネクタはバンプ、すなわちボンドワイヤ204ではなくダイはんだボールを含み、一般に「フリップチップ」実装と呼ばれるやり方で構成されていてもよい。
【００３６】
アンテナ206は、電気信号と電磁信号との間の変換を行う変換器として構成された任意の適切な構造であってもよい。アンテナ206は、EHFスペクトルで動作するように構成されていてもよく、電磁信号を送信および/または受信するように、言い換えると、送信機、受信機、または送受信機として構成されていてもよい。一態様では、アンテナ206はリードフレームの一部として構築することができる。ICパッケージ201は複数のアンテナ206を含んでもよい。別の態様では、アンテナ206は、ダイ202から分離されているが、任意の適切な方法によってダイ202に動作可能に接続されていてもよく、ダイ202に隣接して位置していてもよい。例えば、アンテナ206は、（図3の320と同様の）アンテナ・ボンド・ワイヤを用いてダイ202に接続されていてもよい。あるいは、フリップチップ構成では、アンテナ206は、アンテナ・ボンド・ワイヤを使用せずにダイ202に接続することもできる（320参照）。別の態様では、アンテナ206は、ダイ202上に、またはPCB216上に配置することができる。
【００３７】
封止材208は、ICパッケージ201の様々な部品を固定された相対位置に保持することができる。封止材208は、ICパッケージの電気部品および電子部品のための電気絶縁および物理的保護を提供するように構成された任意の適切な材料であってもよい。例えば、封止材208は、モールド化合物、ガラス、プラスチック、またはセラミックであってもよい。封止材208は、任意の適切な形状で形成されていてもよい。例えば、封止材208は、リードフレームの接続されていないリードを除くICパッケージのすべての部品を封入する、方形ブロックの形態のものであってもよい。他の回路または部品との1つまたは複数の外部接続が形成されていてもよい。例えば、外部接続は、プリント回路基板への接続のためのボールパッドおよび/または外部はんだボールを含んでもよい。
【００３８】
ICパッケージ201は、コネクタPCB203上に実装されていてもよい。コネクタPCB203は、1つまたは複数の積層212を含んでもよく、積層212のうちの一つはPCBグラウンド層210であってもよい。PCBグラウンド層210は、ICパッケージ上の回路および部品へ電気的接地を提供するように構成された任意の適切な構造であってもよい。
【００３９】
図3は、いくつかの構造部品を示す通信回路300の別の例の簡略化した等角図である。通信回路200と同様に、通信回路300は1つまたは複数のEHF通信ユニットを含んでいてもよく、また、通信システム100のデバイス102およびデバイス104について説明したように信号コントローラを含んでいてもよい。図示のように、通信回路300はICパッケージ301を含んでいてもよく、ICパッケージ301はさらに、ダイ302と、リードフレーム318と、1つまたは複数の導電性コネクタ（例えばボンドワイヤ304）と、変換器（例えばアンテナ306）と、1つまたは複数のアンテナ・ボンド・ワイヤ320と、封止材308とを含んでいてもよい。ダイ302、リードフレーム318、1つまたは複数のボンドワイヤ304、アンテナ306、アンテナ・ボンド・ワイヤ320、および封止材は、図2に記載したICパッケージ201のダイ202、ボンドワイヤ204、アンテナ206、封止材208等の部品と機能的に同様であってもよい。さらに、通信回路300は、PCB203と同様のコネクタPCB（不図示）を含んでいてもよい。
【００４０】
図3では、ダイ302がボンドワイヤ304および320と共に封止材308に封入されているのが分かる。この態様では、ICパッケージは、コネクタPCB上に実装することができる。コネクタPCBは1つまたは複数の積層を含んでもよく、積層のうちの一つはPCBグラウンド層であってもよい。PCBグラウンド層は、第2のEHF通信ユニット314のPCB上の回路および部品へ電気的接地を提供するように構成された任意の適切な構造であってもよい。
【００４１】
任意の2つのEHF通信ユニット間で通信するときには、信号のセキュリティおよび完全性が重要である。適正な信号のセキュリティおよび完全性を強化または保証するための一方法は、通信前または通信時に第2のEHF通信ユニットが第1のEHF通信ユニットの所定の範囲内にあることを確かめることである。このために、第2のEHF通信ユニットの存在を検出し、かつ/または別のデバイスもしくはデバイス面がある一定の距離内にあることを保証するためのシステムおよび方法が使用されてもよい。そうしたシステムおよび方法の例が米国特許出願公開第2012/0319496号に記載されており、同出願はその全体があらゆる目的で本明細書に組み入れられる。
【００４２】
図4A〜図4Bを見ると、典型的な放射スペクトルの振幅対周波数のグラフが示されており、所与の認可帯域についての行政による放射規制範囲の例を表す線402が重ねて示されている。図4Aには、（1つまたは複数の）非変調信号または低レベル変調信号についての典型的な放射スペクトル404のグラフが示されている。図4Aに示すように、非変調信号または十分に低レベルで変調された信号は、放射範囲402内に含まれる狭い帯域404Aの放射を含むことができる。変調信号は、低レベルの電磁放射を生じるように変調が低周波数で行われるという意味で低レベルであってもよい。
【００４３】
図4Bには、高レベル変調信号とも呼ばれる、EHFキャリアが伝えることのできる情報内容に対応した周波数で変調された（1つまたは複数の）信号についての典型的な放射スペクトル406のグラフが示されている。図4Bでは、高レベル変調信号は、認可帯域外にある周波数帯域406Aを生み出しうることが分かる。認可帯域外の放射の発生は回避することが望ましい。グラフ406は周波数のシールドエンクロージャ内での放射を示している。周波数スペクトル406の放射帯域406Aは認可帯域外にあり、放射帯域406Bは認可帯域内にある。シールドされていない通信回路では、高レベル変調信号が生成されるときに、周波数スペクトルの一部分が認可帯域外にある。通信回路がシールドされる場合、周波数帯域406はシールドエンクロージャ内での周波数スペクトルを表し、スペクトル408はシールドエンクロージャの外部の周波数スペクトルを示す。シールドエンクロージャが使用される場合、シールドエンクロージャの外部の周波数スペクトルは放射規制範囲402内であることが分かる。
【００４４】
図5A〜図5Bは、相互に対して正しく位置合わせされたときに、所与の帯域外の放射の発生を回避するように構成された、第2のデバイス504に対する第1のデバイス502を示す例示的な通信システム500の概略図である。第1のデバイス502は、信号コントローラ510に電気的に接続された2つの例示的通信ユニット、具体的にはEHF送信機506およびEHF受信機508を含んでもよい。不連続のシールド部512は、EHF送信機506およびEHF受信機508を一部取り囲んでいてもよい。いくつかの例では、シールド部は、信号コントローラ510の周りにも延在していてもよい。
【００４５】
例えば、第1のデバイス502の一部分は、電磁信号を抑制または阻止するように働く材料の層または区間を含んでもよい。この層または区間は、あらゆる方向に連続したシールドを形成するとは限らないが、1つまたは複数の方向（その方向に沿って電磁EHF信号が送信機506から送信され、かつ受信機508へ送信される）に1つまたは複数の開口514を含むことができるという意味で不連続であってもよい。この構成は図5AにU字形断面で表されている。図に示すように、（シールド部106に対応する）シールド部512は、第2のデバイス504上の（シールド部114に対応する）対応するシールド516との係合関係を容易にするように構築されていてもよい。シールド部512およびシールド部516は不連続のシールドであり、これらのシールド部が位置合わせされていないときに、第1のデバイス502と第2のデバイス504との間の伝送を適切にシールドしない可能性もある。図5Aには位置合わせされていないデバイス、よって位置合わせされていないシールド部が示されている。したがって、第1のデバイスおよび第2のデバイスを、図5Bに示すように、2つのデバイス間で正しい位置合わせが確立されるまで移動させることができる。
【００４６】
EHF送信機506は、前述のEHF通信ユニット108の一例とすることができ、信号コントローラ510の上流側で第1のデバイス502内の1つまたは複数の回路によって提供される変調EHF信号および非変調EHF信号を選択的に送信するように適合されていてもよい。例えば、EHF送信機506は、実質的に一定の信号、変調信号、間欠信号、これらの信号の組み合わせ、または認可EHF帯域内で送信することのできる任意の他の信号を送信してもよい。
【００４７】
EHF受信機508も、前述のEHF通信ユニット112の一例とすることができ、EHF信号を受信し、その信号を電子的な形態で、信号コントローラ510を含む第1のデバイス502内の1つまたは複数の回路へ提供するように適合されていてもよい。信号コントローラ510は、EHF受信機508によって受信された非変調信号が、送信された信号の変調を可能にするのに適切であるかどうかを判定してもよい。送信機506および受信機508は通信回路517を形成していてもよい。
【００４８】
第2のデバイス504は第1のデバイス502と同様であってもよく、EHF受信機518、EHF送信機520、信号コントローラ522、ならびに第1のデバイス502の対応する部品と同様の機能および接続を有するシールド部512を含んでもよい。受信機518および送信機520は通信回路524の一部であってもよい。信号コントローラ522も、それだけに限らないが、第1のデバイス502といった他のデバイスから受信される、受信機518からの変調信号または非変調信号を受信するように構成されていてもよい。
【００４９】
いくつかの態様では、第1のデバイス502の信号コントローラ510は、第2のデバイス504が許容できるかまたは適合したデバイスであるかどうかを判定することができる。一態様では、信号コントローラ510は、第2のデバイス504が許容できるデバイスであるかどうかを、ロック解除コードに基づいて判定することができる。ロック解除コードは、英数字データ、記号、またはこれらの組み合わせを含みうるデバイス識別子であってもよい。第2の信号コントローラは、EHF送信機520によって送信されたロック解除コードが許容できるロック解除コードであるかどうかを判定することができる。第2の信号コントローラは、受信機508によって受信された電磁EHF信号が1つまたは複数の規定の基準に基づいて変調されているかどうかを判定するように構成されていてもよい。例えば、信号コントローラは、受信した電磁EHF信号が許容できる認証パターンに従って書式設定されたデータで変調されているかどうかを判定するように構成されていてもよい。
【００５０】
デバイス502およびデバイス504は、受信した電磁EHF信号から生成された電気EHF信号が、シールド部512とシールド部516とが位置合わせされていないことを示すときには、相互に対して変更し、または移動させることができる。各デバイスは、生成された電気EHF信号が、シールド512とシールド516が位置合わせされていることを示すまで移動させてもよい。各デバイスが位置合わせされると、シールド部512とシールド部516とは、図3Aおよび図3Bを参照して説明したように、放射量を低減させる連続したシールド524を形成することができる。
【００５１】
EHF送信機506は、第2のデバイス504からの変調電磁EHF信号の第1のデバイス502による受信に応答して、第2のデバイス504へ変調電磁EHF信号を送信してもよい。デバイス502およびデバイス504は、EHF送信機506とEHF受信機518との位置合わせの結果としてシールド部512とシールド部516の実質的な位置合わせが得られるように構成されていてもよい。
【００５２】
信号コントローラ510は、デバイス502とデバイス504とが位置合わせされているかどうかを、EHF送信機520によって送信されてEHF受信機508によって受信された電磁EHF信号の1つまたは複数の特性を評価することによって判定するように構成されていてもよい。
【００５３】
デバイス502とデバイス504との位置合わせは、EHF送信機/受信機の対、すなわち、EHF送信機506とEHF受信機518、およびEHF送信機520とEHF受信機508の軸方向および近位の位置合わせをいう。これらの対の正しい位置合わせは、送信機と受信機の対のうちの少なくとも一つの間のEHF信号通信を可能にすることができ、したがって2つのデバイス間の通信を可能にすることができる。また、2つのデバイスのシールド部512およびシールド部516は、それぞれ、送信機/受信機の対が正しく位置合わせされているときに、各シールド部が確実に位置合わせされ、連続したシールド524を形成するように構成されていてもよい。さらに、各シールド部は、相互に対して位置合わせされたときに、電気的に接触するように構成されていてもよい。
【００５４】
前述のように、非連続のシールド部は、各シールド部が位置合わせされ、係合する位置にあるときに、図5Bに示すように送信機/受信機対の周りで連続したシールド524を形成することができる。EHF送信機/受信機対の周りの連続したシールド524は、法令の放射規制範囲を遵守するのに十分なほどスプリアス放射を阻止することができる。よって、各デバイスが正しく位置合わせされると、EHF送信機は放射規制範囲に違反せずに変調EHF信号または搬送波を送信することができる。
【００５５】
さらに、前述のように、デバイスの一方または両方が、他方が許容できるデバイスであるかどうかを、1つまたは複数の基準に基づいて判定してもよい。各デバイスが正しく位置合わせされると、それぞれの信号コントローラは、受信した信号が正しく認証されていると判定することができ、変調を可能にし、しかるべく変調EHF信号をしかるべく生成することができる。その後、変調EHF信号が、それぞれのEHF送信機によって相手側受信機へ送信されてもよい。
【００５６】
一態様では、デバイスの一方または両方の信号コントローラおよび（1つまたは複数の）EHF通信ユニットは、送信機/受信機の位置合わせの確認を提供するように適合されていてもよい。これにより、物理的シールドも正しく位置合わせされているという対応する確認を同様に提供することができる。これによりデバイスは、過剰な信号が認可帯域外でブロードキャストされるのを防ぐためのシールドが所定の位置にある場合を除いて、変調信号の送信を回避することができる。デバイス502を説明例にとると、このことは、デバイス504からの認証信号の送信についての受信表示をEHF受信機508が受信して伝える場合の他は非変調信号ストリームを送信機506へ出力するように信号コントローラ510を構成することによって、実現することができる。この例では、当該信号は、EHF送信機520によって送信されうる。送信された信号は、それが送信強度等の所定の基準を満たすかどうか、または認証判定に関連する1つまたは複数の特定の符号化情報を含むかどうかを判定するために、検査することができる。
【００５７】
信号コントローラ510は、受信した送信が認証されていると判定したことに応答して、EHF送信機506に渡されて送信される変調信号ストリームを選択してもよい。同様に、デバイス504の信号コントローラ522も、デバイス502からの認証信号を探すように構成されていてもよく、当該認証信号に応答してのみ、EHF送信機520により変調信号を送信してもよい。前述のように、この相互の構成により、送信機/受信機の対が位置合わせされておりかつ各デバイスが認証基準に従った送信を行う場合を除いて、変調送信が妨げられることになる。
【００５８】
信号コントローラ522および信号コントローラ510は、1つまたは複数の入力に基づいて2つ以上の信号の中から選択するように構成された任意の適切な回路であってもよい。図5Aおよび図5Bに示す態様では、信号コントローラは、図6に示すマルチプレクサ回路（MUX）602を含んでもよい。図5Aおよび図5Bを参照して論じたように、マルチプレクサ回路602は、入力603上の入力または信号、例えば1つまたは複数の信号発生回路（不図示）からの信号を受け取るように適合されていてもよい。信号発生回路は、変調データ・ベースバンド信号（不図示）を発生させることができる。マルチプレクサ回路は、さらに、異なるタイプの入力信号を受け取ってもよく、それらの入力信号の中から一つが、関連する送信機（例えば、信号コントローラ510についてのEHF送信機506）へ送信するために選択される。これらの信号は、電磁シールドに依拠せずにライセンスフリーの帯域内で放射を発生させる非変調キャリアトーンである例示的なパイロットトーン信号入力604を含んでもよい。マルチプレクサ回路によって受信される単純な非変調信号または搬送波604を提供するために信号入力614で論理1を生成することができる。データシーケンス606は、第2のデバイス（例えば第2のデバイス504）へ送信するためのロック解除コードを示すことができる。別のデータシーケンス608は、第2のデバイスへ送信するためのリンク列挙または認証シーケンスまたは認証パターンを示すことができる。
【００５９】
図1ならびに図5Aおよび図5Bを参照して論じたように、信号コントローラ522は、第1のデバイスへ変調データ信号を送信する前に、1つまたは複数の基準が満たされているかどうかを判定することができる。変調出力信号は、1つまたは複数の基準が満たされているときに生成することができる。一態様では、マルチプレクサ回路602は、デバイス504等の第2のデバイスから受信した信号の特性の決定から得られる表示信号610、612、および614も受信することができる。
【００６０】
一態様では、信号コントローラの基準決定回路はマルチプレクサ602へ表示信号610、612、および614を提供することができる。表示信号610は、受信した電磁EHF信号の強度が規定の持続時間にわたって規定の閾値を上回っているかどうかの表示を提供することができる。表示信号612は、受信した電磁EHF信号が正しいロック解除コードを含むかどうかの表示をしているかどうかの表示を提供することができる。
【００６１】
図7は、認可帯域外の電磁放射の発生を回避するかまたは低減させながら第1のデバイス102（または502）と第2のデバイス104（または504）との間の通信を可能にする方法700の一例を示す流れ図である。図1を参照して論じたように、第1のデバイス102（502）は、EHF通信ユニット108（送信機506）、シールド部106（または512）、信号コントローラ110（または510）、およびいくつかの例では、EHF通信ユニット112（または受信機508）を含んでもよい。同様に、第2のデバイス104（504）も、シールド部114（516）、EHF通信ユニット116（受信機518）、信号コントローラ118（522）、およびいくつかの例ではEHF通信ユニット120（送信機520）を含んでもよい。デバイス102（502）とデバイス104（504）は、電磁信号を送信および/または受信することによって相互に通信することができる。
【００６２】
工程702において、低レベル変調信号または搬送波が第1のデバイス102（502）によって送信される。当該変調信号は、最初は、2つのデバイスが位置合わせされているという確証なしで送信される。前述のように、当該変調信号は、低レベルの電磁放射を生じるように低周波数で変調が行われるという意味で低レベルであってもよい。この例では、EHF通信ユニット108（506）がデバイス104（504）へ変調信号を送信しうる。
【００６３】
工程704において、（EHF通信ユニットもしくは受信機116もしくは518、またはより一般的に、第2のデバイス104もしくは504で）受信機によって受信された低レベル変調信号の強度が所定の閾値を超えるかどうかが判定される。言い換えると、信号の振幅が規定の最小信号振幅（または規定の閾値）と比較されて、信号が、送信機/受信機の対の正しい位置合わせを示す規定の閾値を満たすかどうかが判定される。規定の閾値が満たされない場合には、工程706において、ユーザは、表示、音、光、他の感知可能な表示器などによって通知を受ける。この通知が、次いで、工程708でデバイス102（502）とデバイス104（504）との相対的位置を調整するようユーザを促し、工程702で第1のデバイスが引き続き低レベル変調信号を送信する間に工程704で信号強度が再度検査される。ユーザがデバイスの一方または両方を移動させうるため、2つのデバイスの相互に対する位置が移動されることをもって十分とする。第2のデバイスは、次いで、引き続き信号強度をモニタリングし、位置合わせが存在するかどうか、または引き続き存在するかどうかの表示を提供する。
【００６４】
工程704において、信号強度が規定の閾値より大きいと判定された場合には、工程710が実行され、そうでない場合には、ユーザが引き続き工程708を実行して各デバイスをさらに移動させている間に信号強度がモニタリングされる。いくつかの例では、第2のデバイスは、非変調信号または低レベル変調信号を第1のデバイスへ送り返すこともでき、この信号を受信し次第、第1のデバイスは、第2のデバイスへデータ信号を送信するための、前述の判定と同様の第2のデバイスの適否の判定を行う。
【００６５】
工程710において、信号の内容が分析されて、望み通りの規定のロック解除コードが存在するかどうかが判定される。ロック解除コードは受信した低レベル変調信号内のデータとなるはずである。工程710において、望み通りのロック解除コードが存在しない場合には、工程712でユーザが通知を受け、工程704が繰り返され、信号が再度分析される。
【００６６】
また、スプリアス信号、すなわち、サポートされない送信機からの信号が存在し、スプリアス信号の発信元を取り除かなければ、第1のデバイス102（502）と第2のデバイス104（504）の相対的位置をそれ以上調整しても上記の検査に適合する効果が得られない場合もありうる。
【００６７】
規定のロック解除コードが信号に存在する場合、工程714において、信号はさらに分析されて、許容できる認証パターンが存在するかどうかが判定される。正しい認証パターンが存在しない場合には、工程712でユーザは通知を受け、分析は工程704に戻ってこれらの検査との適合性について引き続き受信信号を検査する。いくつかの態様では、正しい認証パターンが存在しない場合には、相対的なデバイス位置の調整を必要としてもしなくてもよい。
【００６８】
工程704、工程710、および/または工程714は、第1のデバイスの認証の局面を構成し、異なる順序で、またはさらには並行して実行されうることに留意されたい。また、第1のデバイスを認証するのに、異なる基準、より少数の基準、または追加の基準が使用されてもよいことにも留意されたい。例えば、参照により本明細書に組み入れられる米国特許出願公開第2012/0319496号に開示されているように、アンテナインピーダンスが検出されてもよく、往復信号の飛行時間を分析して各デバイスが十分に近いかどうかが判定されてもよい。
【００６９】
すべての基準が満たされた場合には、工程716において、変調信号が第2のデバイスから第1のデバイスへ送信される。その後工程718において、ユーザも、位置合わせが正しいこと（すなわち、すべての基準が満たされていること）の通知を適切な表示器によって受ける。例えば、2つのデバイスの位置合わせが正しいことをユーザに通知するのに、LEDが点灯されてもよく、可聴アラートが鳴らされてもよく、かつ/または振動を生じさせてもよい。第1のデバイス102（502）と第2のデバイス104（504）との正しい位置合わせにより、2つのデバイスのシールド部によって形成される連続したシールドの形成が確認されるまで放射の伝搬を制限することによって、認可帯域外の望ましくない放射の発生が低減または回避され得る。具体的には示されていないが、第1のデバイスは、第2のデバイスへの低レベルまたは高レベルで変調された第1の電磁EHF信号の送信を、対応する低レベルまたは高レベルで変調された第2のデバイスからの第2の電磁EHF信号の第1のデバイスによる受信に応答して開始してもよい。
【００７０】
前述のように、第2のデバイスの動作時に、適切な位置合わせが引き続き存在することを確認するために、工程720で受信信号が引き続きモニタリングされる。信号強度（または他の決定要因）が十分である限り、第2のデバイスは第1のデバイスへ変調信号を送信し続ける。信号強度が閾値未満に減少した場合はいつでも、変調信号の送信は工程722で打ち切られ、ユーザは、工程708でのユーザによる2つのデバイスの調整についての通知を工程706で受け、2つのデバイスをリンクさせるプロセスが工程702で再開される。
【００７１】
図8は、認可帯域外の電磁放射の発生を回避するかまたは低減させながら第1のデバイス102（または502）と第2のデバイス104（または504）との間の通信を可能にする方法800の別の例を示す流れ図である。この例では、工程802において、非変調の信号または搬送波が第1のデバイス102（502）によって送信される。当該非変調信号は、最初は、2つのデバイスが位置合わせされているという確証なしで送信される。というのは、2つのデバイスが電磁シールドを形成しないときでさえも、信号は本来的に低レベルの放射を発生させるからである。この例では、EHF通信ユニット108（506）がデバイス104（504）へ変調信号を送信しうる。
【００７２】
工程804において、（EHF通信ユニット116もしくは受信機518、またはより一般的には、第2のデバイス104もしくは504で）受信機によって受信された非変調信号の強度が所定の閾値を超えているかどうかが判定される。規定の閾値を満たさない場合には、ユーザは工程806で通知を受ける。次いで、この通知によってユーザは工程808でデバイス102（502）とデバイス104（504）との相対的位置を調整するよう促され、工程802で第1のデバイスが引き続き非変調信号を送信する間に工程804で信号強度が再度検査される。
【００７３】
ユーザがデバイスの一方または両方を移動させうるため、2つのデバイスの位置が相互に対して移動されることをもって十分とする。第2のデバイスは、次いで、引き続き信号強度をモニタリングし、信号強度に基づいて、位置合わせが存在するかどうか、または引き続き存在するかどうかの表示を提供する。やはり前述したように、位置合わせを判定するのに、アンテナインピーダンスや、往復信号の飛行時間といった他の基準が検査されてもよい。
【００７４】
工程804において、第2のデバイスで受信された信号の強度が規定の閾値より大きくないと判定された場合、第2のデバイスは、工程708でユーザが引き続き各デバイスを移動させている間に、工程804で引き続き受信信号強度をモニタリングする。受信信号強度が規定の閾値より大きいと判定された場合には、今度は第2のデバイスが工程810において、第2のデバイスへのデータ送信が妥当かどうかを第1のデバイスが同様の工程を用いて判定するのに使用するために、非変調信号またはさらには低レベル変調信号を第1のデバイスへ送信してもよい。
【００７５】
次いで、工程812において、第2のデバイスから受信された信号が規定の閾値より大きいかどうかの判定が第1のデバイスで行われ、規定の閾値より大きくない場合、ユーザが引き続き工程708を実行して各デバイスをさらに移動させる間、信号強度が引き続きモニタリングされる。第2のデバイスから受信された信号が規定の閾値より大きい場合には、第1のデバイスは、工程814において、ロック解除コードと、規定の認証パターンとで変調された信号の送信を開始する。この信号は低レベル変調信号であってもよいし、高レベル変調信号であってもよい。
【００７６】
第2のデバイスが、受信信号が十分な強度を有すると判定した後、工程816において、信号の内容が分析されて、第1のデバイスから受信された変調信号に望み通りの規定のロック解除コードが存在するかどうかが判定される。工程816において、望み通りのロック解除コードが存在しない場合には、工程818でユーザが通知を受け、工程804が繰り返され、信号が再度分析される。
【００７７】
工程816で信号に規定のロック解除コードが存在する場合、信号は工程820でさらに分析されて、許容できる認証パターンが存在するかどうかが判定される。正しい認証パターンが存在しない場合には、ユーザは818で通知を受け、分析は工程804に戻ってこれらの検査との適合性について引き続き受信信号を検査する。いくつかの態様では、正しい認証パターンが存在しない場合に、相対的なデバイス位置の調整を必要としてもしなくてもよい。
【００７８】
必要な認証パターンが存在する場合には、工程822において、第1のデバイスとの通信を確立するための制御およびさらなるハンドシェークのプロトコルを含むデータを含む変調信号が第2のデバイスにより送信される。またユーザも、工程824において、2つのデバイスが位置合わせされており、通信が行われるという表示で通知を受ける。方法700の場合と同様に、第1のデバイスは、第2のデバイスからの高レベル変調された第2の電磁EHF信号の第1のデバイスによる受信に応答して、第2のデバイスへの高レベル変調された第1の電磁EHF信号の送信を開始してもよい。
【００７９】
第2のデバイスの動作時に、適切な位置合わせが引き続き存在することを確認するために、工程826で受信信号が引き続きモニタリングされる。信号強度（または他の決定要因）が十分である限り、第2のデバイスは第1のデバイスへ変調信号を送信し続ける。信号強度が閾値未満に減少した場合はいつでも、変調信号の送信は工程828で打ち切られ、ユーザは工程806において、工程808でのユーザによる2つのデバイスの調整についての通知を受け、2つのデバイスをリンクさせるプロセスが工程802で再開される。
【００８０】
この場合もやはり、第2のデバイスとの通信について第1のデバイスを認証するための図示の各工程は例示であり、異なる順序で、またはさらには並行して実行されてもよい。また、通信について第1のデバイスを認証するのに、異なる基準、より少数の基準、または追加の基準が使用されてもよい。
【００８１】
すべての基準が満たされた場合には、工程716において、第2のデバイスから第1のデバイスへ変調信号が送信される。その後、工程718において、ユーザも、位置合わせが正しいこと（すなわち、すべての基準が満たされていること）の通知を適切な表示器によって受ける。例えば、2つのデバイスの位置合わせが正しいことをユーザに通知するのに、LEDが点灯されてもよく、可聴アラートが鳴らされてもよく、かつ/または振動を生じさせてもよい。前述のように、第1のデバイス102（502）と第2のデバイス104（504）の正しい位置合わせにより、2つのデバイスのシールド部によって形成される連続したシールドの形成が確認されるまで放射の伝搬を制限することによって、認可帯域外の望ましくない放射の発生を低減させるかまたは回避することができる。
【００８２】
本明細書に記載する開示は、独立した有用性を有する複数の別個の発明を包含するものであると考えられる。これらの発明は各々その好ましい形態において開示されているが、本明細書で開示し、例示したそれらの具体的な態様は限定的なものとみなすべきではなく、多くの変形が可能である。各例は以上の開示において開示した態様を定義するものであるが、いずれか一つの例が、最終的に特許請求されうるあらゆる特徴または組み合わせを必ずしも包含するとは限らない。説明において「a（一つの）」または「a first（第1の）」要素またはその均等物に言及する場合、そうした記述は1つまたは複数のそうした要素を含み、2つ以上のそうした要素を必要とするものでも、排除するものでもない。さらに、識別される要素についての、第1の、第2の、第3のといった序数標識は、各要素を区別するのに使用されるものであり、特に指定しない限り、そうした要素の必要な数または限定される数を示すものではなく、そうした要素の特定の位置または順序を示すものでもない。
【図１】
2015511440.tif 000004
【図２】
2015511440.tif 000005
【図３】
2015511440.tif 000006
【図４】
2015511440.tif 000007
【図５Ａ】
2015511440.tif 000008
【図５Ｂ】
2015511440.tif 000009
【図６】
2015511440.tif 000010
【図７】
2015511440.tif 000011
【図８】
2015511440.tif 000012
【国際調査報告】
2015511440.tif 000013
2015511440.tif 000014
2015511440.tif 000015
2015511440.tif 000016
2015511440.tif 000017
2015511440.tif 000018